(57)【要約】半月ブラシまたはその他の化粧塗布具は、２つの部品から成り、それぞれがヘッドおよび平らな取っ手を有する。各部品の取っ手は、広い主面および狭い側面を有する。２つの部品は、第１の構成において、広くて平らな単一のヘッドを形成するよう、狭い２つの側面が隣接しヘッドが隣り合った状態で結合され、第２の構成において、より厚く、幅がより狭く、平らな単一のヘッドを形成するよう、広い２つの主面が隣接しヘッドが向かい合った状態で結合される。塗布具の部品はそれぞれ、もう一方の部品の磁気部材と協働して塗布具部品を第１および第２の構成両方においてつなぎ合わせる磁気部材を有する。
2012520748.tif 000002
【特許請求の範囲】
【請求項１】
ヘッドおよび平らな取っ手をそれぞれ有する２つの塗布具部品を具備する化粧塗布具であって、
各部品の前記取っ手は、広い主面および狭い側面を有し、
前記２つの前記塗布具部品は、第１の構成において、広くて平らな単一のヘッドを形成するよう、前記狭い側面２つが隣接し前記ヘッドが隣り合った状態で結合可能であるように、さらに第２の構成において、平らな単一のヘッドを形成するよう、前記広い主面２つが隣接し前記ヘッドが向かい合った状態で結合可能であるように設計され、
前記塗布具部品はそれぞれ、磁気部材を有し、前記磁気部材は、もう一方の前記部品の磁気部材と協働して、前記塗布具部品を、前記第１および前記第２の構成の両方においてつなぎ合わせる、化粧塗布具。
【請求項２】
前記広い主面および前記狭い側面は、平らであり、前記２つの部品は、結合されると、実質的に磁力および摩擦のみによってつなぎ合わされる、請求項１に記載の化粧塗布具。
【請求項３】
前記広い主面および前記狭い側面のうちの少なくとも１つは、少なくとも１つの凹部を具備し、前記少なくとも１つの面に隣接するそれぞれの前記広い主面または狭い側面は、当該の２つの面が隣接する状態で前記２つの部品が結合されると前記凹部に嵌合する突起を具備する、請求項１に記載の化粧塗布具。
【請求項４】
前記磁気部材は、すべて永久磁石である、請求項１に記載の化粧塗布具。
【請求項５】
前記磁気部材は、永久磁石と協働するよう設置され磁気的に軟強磁性の材料の少なくとも１つの部材を含む、請求項１に記載の化粧塗布具。
【請求項６】
前記塗布具部品それぞれの前記狭い側面に、前記狭い側面の長さ方向に沿って間隔を置いて２つ以上の磁気部材が設けられている、請求項１に記載の化粧塗布具。
【請求項７】
前記塗布具部品それぞれの前記広い主面に、前記広い主面の長さ方向および幅方向のうちの少なくとも１つにわたって間隔を置いて２つ以上の磁気部材が設けられている、請求項１に記載の化粧塗布具。
【請求項８】
少なくとも１つの前記磁気部材は、永久磁石であり、１つの極が、それぞれの前記塗布具部品の、関連する面を通り外へ向くように、前記永久磁石は方向を定められる、請求項１に記載の化粧塗布具。
【請求項９】
前記第１の構成において、前記広くて平らなヘッドは、前記２つの部品が隣接するところから離間した端部部分よりも、前記２つの部品が隣接する中央部分のほうが、前記取っ手に対し接近・離間する方向に長い、請求項１に記載の化粧塗布具。
【請求項１０】
前記第１の構成において、前記取っ手から離間する方向を向いている、前記ヘッドの自由端部は、曲線状かつ凸状である、請求項９に記載の化粧塗布具。
【請求項１１】
前記ヘッドは、ブラシを形成する剛毛を具備する、請求項１に記載の化粧塗布具。
【発明の詳細な説明】
【背景技術】
【０００１】
メイクアップの塗布は、化粧品を均一に分布させることを必要とする。着用者の目、頬、または顔の、改善された所望の外見を得ながら、自然に見える塗布を実現するために、化粧品は、特定の化粧用途をそれぞれ有する様々な化粧ブラシまたは塗布具を用いて塗布されることが多い。さらに、メイクアップは、顔にある望まれない特定の色、シミ、母斑、傷跡、または美観を損なうものを、ごまかすためまたは隠すために用いられることがある。
【０００２】
化粧品は、ブラシまたはその他の塗布具によって顔に塗布されることが多い。化粧ブラシには様々な大きさおよび形状が含まれ、各ブラシが、特定の用途または顔の領域用にデザインされている。用いられるブラシの種類の１つは「半月」ブラシであり、これは、平らな形状で、典型的には幅１インチ〜１．５インチ（２５〜４０ｍｍ）、厚さ４分の１インチ（６ｍｍ）以下の、並列した剛毛のヘッドを備える。「半月」という名称は、ヘッドの先端部が凸状であることもあり、ヘッドがＤ字形となっていることから生じている。取っ手は、典型的には矩形で、大きさはヘッドに似るが、実用的な理由からヘッドよりも幾分厚くなっている。
【０００３】
「半月」ブラシは、顔の広い領域に少量のパウダーを塗布するのに便利であるが、小型な形状ではないため収納が容易ではない。
【０００４】
したがって、本発明より前には、改善された化粧ブラシに関して、満たされていないニーズがあったということは明らかである。
【発明の概要】
【課題を解決するための手段】
【０００５】
本発明の一実施形態の目的は、半月ブラシの幅広で薄いヘッドと、収納用の小型形状とを兼ね備える化粧ブラシを提供することである。
【０００６】
本発明の一実施形態の目的は、平らなヘッドおよび平らな取っ手をそれぞれ有する２つの部品を具備するブラシを提供することである。各部品の取っ手は、広い主面および狭い側面を有する。２つの部品は、第１の構成において、広く平らな単一のヘッドを形成するよう、狭い２つの側面が隣接し、ヘッドが平行で隣り合った状態で合わせることができる。２つの部品は、第２の構成において、広く平らな単一のヘッドを形成するよう、広い２つの主面が隣接し、ヘッドが向かい合った状態で合わせることができる。各部品は、もう一方の部品の磁気部材と協働してブラシ部品を第１および第２の構成両方においてつなぎ合わせる磁気部材を有する。
【０００７】
実施形態において、広い主面および狭い側面は平らであるとよく、２つの部品は、実質的に磁力および摩擦のみによってつなぎ合わされるとよい。別の実施形態では、狭い側面には、少なくとも１つの接合突起（ｍａｔｉｎｇ  ｐｒｏｊｅｃｔｉｏｎ）および凹部が形成されているとよい。さらなる別の実施形態では、広い主面には、少なくとも１つの接合突起および凹部が形成されているとよい。
【０００８】
実施形態において、磁気部材はすべて永久磁石であってもよい。別の実施形態において、磁気部材の一部は、永久磁石と協働する磁気的に軟強磁性（ｍａｇｎｅｔｉｃａｌｌｙ  ｓｏｆｔ  ｆｅｒｒｏｍａｇｎｅｔｉｃ）の材料であってもよい。
【０００９】
狭い側面それぞれには、狭い側面の長さ方向に沿って間隔を置いて２つ以上の磁気部材が設けられてもよい。その場合、１つの極が関連する狭い側面を通り外へ向くように、磁気部材の中の永久磁石は方向を定められてもよい。磁気部材は、それぞれの狭い側面の中央に沿って間隔を空けられていてもよい。その結果、典型的には、２つのブラシ部品は磁気部材の異なる構成を有する。磁気部材を備えた狭い側面は、各ブラシ部品の両側に設けられてもよい。なお、例えば各ブラシ部品が「半月」ブラシの半分であり、その結果「半月」の中央となるよう意図された側部の剛毛がより長い場合など、２つの側部が異なる場合は、磁気部材を備える狭い側面は、組み立てられた広いブラシの中央にくるよう意図された、各ブラシ部品の側部にのみ設けられるとよい。
【００１０】
広い主面それぞれに、広い主面の長さ方向および／または幅方向に沿って間隔を置いて２つ以上の磁気部材が設けられてもよい。その場合、１つの極が関連する広い主面を通り外へ向くように、磁気部材の中の永久磁石は方向を定められてもよい。磁気部材を備えた広い主面は、各ブラシ部品の片面のみに設けられてもよい。その場合、もう一方の面には、第２の構成のブラシにおいて目に見えるようになっている装飾および／または情報が設けられてもよい。磁気部材を備えた広い主面は、各ブラシ部品の両面に設けられてもよい。その場合、磁気部材は、ブラシ部品の取っ手の厚さ方向にわたって延在してもよい。磁気部材すべてが永久磁石であり、さらに２つのブラシ部品が、第２の構成で、組み立てられた広いブラシの中央にくるよう意図された各ブラシ部品の側部が近接する状態で配置されると、広い主面に関連する磁石の配置は、両方のブラシ部品に関して全く同じとなり得る。
【００１１】
本発明のさらなる特徴、目的、および利点は、後に続く説明の中に記載され、一部はその説明から明らかとなるか、または本発明を実践することによって分かる。本発明の目的およびその他の利点は、本願明細書に書かれている説明および特許請求の範囲、ならびに添付の図面において詳しく指定されている構造によって実現および達成される。
【００１２】
添付の図面は、本発明のさらなる理解を提供するために含められ、本明細書に組み込まれてその一部を構成しており、本発明の実施形態を示して、本記載とともに、本発明の特定の原理を説明する助けとなる。なお、各図面に付随する詳細な説明は、本願明細書に添付されている特許請求の範囲に記載の範囲を限定することを目的としてはいない。
【図面の簡単な説明】
【００１３】
【図１】「開いた」構成の、化粧ブラシの第１の実施形態の正面図である。
【図２】図１に示されたブラシの底面図である。
【図３】「折り畳まれた」構成の、図１に示されたブラシの正面図である。
【図４】図３に示されたブラシの側面図である。
【図５】図３に示されたブラシの底面図である。
【図６】図１に示された化粧ブラシの半分の正面断面図である。
【図７】図６に示された半分のブラシの側面断面図である。
【図８】図１に示された化粧ブラシの残りの半分の正面断面図である。
【図９】図８に示された半分のブラシの側面断面図である。
【図１０】図６に示された半分のブラシの一部を形成するケーシングの正面図である。
【図１１】図１０に示されたケーシングの側面図である。
【図１２】図１０に示されたケーシングの上面図である。
【図１３】図８に示された半分のブラシの一部を形成するケーシングの正面図である。
【図１４】図１０に示されたケーシングの側面図である。
【図１５】図１０に示されたケーシングの上面図である。
【図１６】図６および８に示された半分のブラシのうちのいずれかの一部を形成する磁石ホルダーの正面図である。
【図１７】図１６に示されたホルダーの側面図である。
【図１８】図１６に示されたホルダーの上面図である。
【図１９】化粧ブラシの第２の実施形態の一部を形成する半分のブラシの、図６に似た図である。
【図２０】化粧ブラシの第３の実施形態の一部を形成するホルダーの、図１８に似た図である。
【発明を実施するための形態】
【００１４】
以下、本発明の好適な実施形態および代わりの実施形態を詳しく参照する。その例は、添付の図面に示されている。同様の構成部品は、いくつかの図にわたって同じ番号を有する。なお、本発明による技法、システム、および作用構造は、多岐にわたる大きさ、形状、形態、および様式で具現化されることもでき、その一部は、開示された実施形態のものとまったく違っていてもよい。したがって、本願明細書に開示される特定の構造上および機能上の詳細事項は、代表的なものでしかないが、その点において、本発明の範囲を定義する本願明細書の特許請求の範囲の基礎を提供する。示されている実施形態は、本発明を実行するシステムの例示にすぎないが、本発明の作用の構成および方法の両方が全般的に、本発明のさらなる目的および利点とともに、図面および以下の説明を参照することによってより容易に理解されると考えられる。
【００１５】
図面、最初は図１を参照する。参照番号２０によって全体として示されている第１の形態の化粧ブラシは、制限なく、任意の大きさ、形状、または材料のものとしてよい。化粧ブラシ２０は、２つの半分２２（特に図６、７および１０〜１２を参照）ならびに２４（特に図８、９および１３〜１５を参照）を具備する。２つの半分２２、２４は非常に似ており、簡潔さのために、共通する特徴の説明は主として繰り返さない。２つの半分２２、２４のわずかな違いについては、以下の説明の中で説明する。ブラシ半分２２、２４はそれぞれ、毛、剛毛、または繊維を具備するヘッド２６と、図１６〜１８に独立して示され個別のケーシング３０、３２に受け入れられる磁石ホルダー２８とを有し、ケーシング３０、３２は、図１０〜１２および１３〜１５に独立して示されている取っ手としても機能する。
【００１６】
図１２および１５で最もよく見えるように、この実施形態では、ケーシング３０、３２はそれぞれ、平面図では矩形であり、上端が開いている。磁石ホルダー２８は、ケーシング３０または３２内にぴったり嵌まるよう形作られており、ケーシング２０の開いた上端部３４に空の空間が残される。ヘッド２６を形成する剛毛、毛、またはその他の構成部品の根元の端部３６は、ケーシング３０、３２の開いた上端部３４内に配置され、したがって、ケーシング３０、３２の開いた上端部３４は、ヘッド２６を保持するフェルールとして機能する。ヘッド２６を形成する剛毛、毛、またはその他の構成部品は、既に既知である手段を含め、接着剤またはそのほかケーシング３０、３２の内側に接着する材料によるものを含む都合のよい手段で適当な位置に固定されるとよく、これはさらに、磁石ホルダー２８をケーシング３０、３２内の適当な位置に固定する。
【００１７】
図面の中の図１〜１８に示されている実施形態では、ブラシ半分２２のケーシング３０の、１つの狭い側面３８は、２つの円形突起４０を除いて、平らで滑らかである。もう一方のブラシ半分２４のケーシング３２の対応する狭い側面４２には、対応する円形凹部４４が２つある。２つのブラシ半分２２、２４は、対応する狭い側面３８、４２が隣接する状態で配置され、突起４０が凹部４４に嵌め込まれて、図１および２に示されている第１の、すなわち開いた構成の、組み立てられたブラシ２０を形成する。各ケーシング３０、３２の１つの広い主面４６は、平らで滑らかであり、図３〜５に示されているように、もう一方のブラシ半分２４、２２のケーシング３２、３０の対応する広い主面４６に当てて配置されて、組み立てられたブラシ２０の、より狭く厚い、第２の、すなわち折り畳まれた構成を形成し、これはブラシを収納するときに用いられてもよい。図面から分かるように、「広い」面は、「狭い」面よりも広く、半月ブラシでは通常２倍または３倍の広さである。
【００１８】
図面に示されているように、ブラシ半分２２、２４それぞれの狭い側部１つのみが、図１および２に示されている開いた構成においてもう一方のブラシ半分２４、２２と接合する狭い側面３８、４２として用いられる。ヘッド２６およびケーシング３０、３２はどちらも、開いた構成で丸みのある形状を形成するよう曲線状であり、結合されたヘッド２６の先端部が凸状の「半月」形状となり、結合されたケーシング３０、３２の底部は、先端の「半月」形状と視覚的に同じでありかつ握り心地のよい凸形状となる。この形状から、通常の利用者は、突起４０および凹部４４の意味が分からなくても、各ブラシ半分２２、２４のどちら側がもう一方のブラシ半分２４、２２と接合する側面３８、４２であるのかすぐに分かる。突起４０および凹部４４は、２つの半分を、開いた構成で正しく並べて保持すること、ならびに面３８、４２が互いに滑り合うのを防ぐことに役立つ。
【００１９】
下記でさらに詳しく説明するように、一部の実施形態では、各ブラシ半分２２、２４のケーシング３０、３２の幅広の側部１つのみが、第２の構成で、もう一方のブラシ半分２４、２２と接合する幅広の主面４６として用いられる。その面４６は、概して平らで滑らかである。なお、この実施形態では、ヘッド２６は、その全幅にわたって一定の厚さであり、したがって、ケーシング３０、３２のもう一方の幅広の側部４８も、平らで滑らかである。したがって、任意選択で、側部４６、４８は、外観が異なるように作られてもよい。例えば、もう一方の幅広の側部４８には、装飾または情報が設けられてもよく、これは例えば、折り畳まれた構成で外に出る側としてすぐに分かるようにその側部を特定する印刷物５０の形式であってもよい。印刷物はさらに、２つの半分２２、４４が完全に同じでない場合、利用者が１つの半分２２と、１つの半分２４とを持ち、全く同じ２つの半分２２または全く同じ２つの半分２４を組み立てようとしないようにする助けとなるとよい。あるいは、ブラシ２０は、各半分２２、２４の両側部４６、４８が、第２の構成でもう一方のブラシの半分と係合する幅広の主面として用いられることができるよう作成されてもよい。
【００２０】
ケーシング３０、３２は、成形されたプラスチック材料で作られてもよい。
【００２１】
以下、特に図１６〜１８を参照する。磁石ホルダー２８は、成形されたプラスチック材料の固体のブロックから成り、いくつかの磁気構成部品５０、５２、５４、５６が埋め込まれている。磁気構成部品は、成形プロセスの間に埋め込まれてもよく、または、ブロックが凹部を備えるよう成形もしくは機械加工されて、その凹部に後から磁気構成部品５０、５２、５４、５６が挿入されてもよい。
【００２２】
この実施形態では、２つの磁気構成部品５０、５２が、ケーシング３０、３２の狭い側面３８、４２の下に重なる、ブロック２８の面５８に取り付けられる。磁気構成部品５０、５２は、面３８、４２、５８の垂直な中心線上で、上下にある。一対のブラシ半分２２、２４の磁石５０、５０および５２、５２の各対は、２つの永久磁石から成ってもよく、または１つの永久磁石と、磁気的に軟強磁性の対応部品（ｃｏｕｎｔｅｒ−ｐｉｅｃｅ）とから成ってもよい。強度を最大化するには、永久磁石は、１つの極が、側面３８、４２を通り外へ向く状態で並べられるとよい。その場合、各対５０、５０または５２、５２の２つの磁石は、反対向きである必要があり、２つのブラシ半分２２、２４は異なる。図１〜１８に示されているように、突起４０および凹部４４も、２つのブラシ半分２２、２４の間で異なる。
【００２３】
図１〜１８に示されているように、突起４０および凹部４４は、大きさ、形状、および配置が磁石５０、５２と似ているため、機能的な磁石５０、５２の存在を視覚的に表す。なお、他の構成も当然可能である。
【００２４】
図１９も参照する。別の実施形態では、突起４０および凹部４４が省略されてもよく、平らな狭い側面６２を備えるケーシング６０が用いられてもよい。その場合、狭い側面６２は、面６２が滑ってずれないようにするテクスチャー仕上げ６４を有することが好ましいと考えられる。磁石５０、５２が、その各極を幅広の面４６、４８に向けた状態で並べられれば、全く同じブラシ半分２２、２４とすることが可能である。その場合、磁石は、極対極ではなく側部同士で係合し、より弱い連結が生じると考えられる。
【００２５】
さらなる選択肢では、ブラシ半分２２の磁石は、突起４０の中へと向かって延在してもよい。そうした構成では、磁石５０、５０および５２、５２がより近くに集まり、任意の磁石の結合強度が増す。さらに、磁石の目に見える金属が、装飾的特徴となり得る。なお、そうした選択肢では、組み立てられたホルダー２８および磁石５０、５２を、構成部分としてケーシング３０、３２の中へ入れることはできないため、製造が複雑になる。
【００２６】
図１８に示されている実施形態では、２つの磁気構成部品５４、５６が、ケーシング３０、３２の幅広の主面４６、４８の下に重なるブロック８８の２つの面６６それぞれに取り付けられる。各面６６の磁気構成部品５４、５６は、ブロック２８のほぼ中間で隣り合っている。一対のブラシ半分２２、２４の向かい合った磁石５４、５４および５６、５６の各対は、２つの永久磁石から成ってもよく、または１つの永久磁石と、磁気的に軟強磁性の対応部品とから成ってもよい。小型さと審美的な外観のために、各実施形態では、第２の構成が、２つのブラシ半分２２、２４を側部４６が近接した状態で互いに重ならせ、その結果、有効な磁気構成部品５４、５６を含むブラシ半分２２、２４の面６６は、互いに左右対称である。強度を最大化するには、磁気構成部品５４、５６はすべて、１つの極が、側面４６、４８を通り外へ向いた状態で並べられた永久磁石であるとよい。その場合、各対５４、５４または５６、５６の磁石は、全く同じように方向を定めることができ、２つのブラシ半分２２、２４は、この点において同じとすることができる。
【００２７】
別の実施形態では、ブラシ半分２２、２４の面４６、４８が異なり、第２の、すなわち折り畳まれた構成では、常に幅広の面４６の特定の対が近接した状態で２つのブラシ半分が組み立てられるものとされ、磁石５４、５６は、面４６の下に重なる各ホルダー２８の側部６６のみに挿入されればよい。その結果、２つのブラシ半分２２、２４の組み立てられたホルダー２８は異なる。この選択肢は、各ブラシに用いられる磁石の数を減らすため、材料費が減るが、異なるサブアセンブリの数が増えるため、生産費が増えるかもしれない。
【００２８】
この選択肢が、磁石が挿入される前に形作られる磁石ホルダー２８とともに適用される場合、両側に凹部を備える１種類の磁石ホルダー２８が生産されるとよく、磁石５４、５６は、各ホルダー２８の片側のみの凹部に挿入される。残りの空の凹部は、ケーシング３０、３２内に隠されるため、最終製品が損なわれることはない。
【００２９】
以下、図２０も参照する。各ホルダーに１つのみの磁気構成部品５４および１つのみの磁気構成部品５６が含まれる場合、ホルダー７０の別の形態として、一方の側部６６のみに磁気構成部品５４、５６用の凹部があってもよい。この構成は、磁気構成部品５４、５６が後から挿入される凹部を一方の側部のみに備える磁石ホルダー７０を形作ること、または１つのみの磁気構成部品５４および１つのみの磁気構成部品５６の上にホルダーブロック７０を成形することによってもたらされてもよい。ホルダー７０は、左右対称の対として作られてもよく、または製造を単純化するために、全く同じに作られることも可能である。その場合、磁気構成部品５４、５６は、ブロック７０の厚さ全体にわたって延在するか、または、それらが延在しないブロック７０の厚さ部分を越えて引きつけるよう十分に強い。上記で説明したように、組み立てられたホルダー７０すべてが全く同じである場合は、磁気構成部品５４、５６は永久磁石とするべきである。ブラシ半分２２、２４として異なる２つの種類が生産される場合は、各対５４、５４および５６、５６の１つの磁気構成部品を、磁気的に軟性の対応部品とすることができる。
【００３０】
利用時、利用者には、ブラシ半分２２、２４の対応する対が提供される。図１に示されている第１の構成の幅広で薄い半月ブラシ２０を形成するために、利用者は、ブラシ半分２２、２４を、ヘッド２６の先端が所望の半月形を形成するように並べて、狭い側面３８、４２または６２、６２を合わせる。突起４０があれば、突起４０は凹部４４に嵌め込まれる。その結果、磁気構成部品５０、５０および５２、５２の対は、磁気的に係合し、どちらも２つのブラシ半分２２、２４をつなぎ合わせて正しい相対位置に保持する。幅広の面４６、４８の一方または両方にある印刷物７２が、正しい相対的位置を示してもよい。続いて、利用者は、組み立てられた「半月」ブラシを用いて化粧品を塗布するとよい。
【００３１】
第２の、すなわち折り畳まれた構成の、より厚いが幅がより狭いブラシ２０を形成するには、利用者は、ブラシ半分２２、２４を向かい合わせて並べて、幅広の主面４６を合わせる。その結果、磁気構成部品５４、５４および５６、５６の対が磁気的に係合し、どちらも２つのブラシ半分２２、２４をつなぎ合わせて第２の構成の正しい相対位置に保持する。第２の構成のブラシ２０は、化粧品を塗布するために用いられてもよく、または第１の構成よりもコンパクトに収納されることもできる。より小型の形状は、種々のブラシ、塗布具、または化粧道具用に割り当てられた仕切りまたはホルダーを含むメイクアップキットにおいて特に、収納に適した場所を準備するのを簡単にするとよい。より小型の形状は、収納時の損傷の危険を削減するとよい。
【００３２】
化粧ブラシに適した寸法の例として、ブラシまたは塗布具２０は、側部３８、４２に沿った最も高い位置で測定して、高さ約４０ｍｍ（１．５インチ）としてもよく、その半分は、ヘッド２６の目に見える高さとしてもよく、半分はケーシング３０、３２の高さとしてもよい。各ブラシ半分２２、２４は、幅約１６ｍｍ（２／３インチ）として、図１の第１の構成のブラシ２０を総幅約３２ｍｍ（１．２５インチ）にしてもよい。各ブラシ半分２２、２４は、厚さ約６ｍｍ（１／４インチ）としてもよく、これは、図１の第１の構成のブラシ２０の厚さでもある。したがって、第２の構成のブラシは、幅約１６ｍｍ、厚さ約１２ｍｍである。ケーシング３０、３２の壁３８、４２、４６、４８は、機械的強度と、磁気構成部品間の空間が広がるにつれての磁力の減少との両方を考慮に入れて、厚さ約０．６ｍｍ（０．０２５インチ）としてもよい。ケーシングの底壁および外側側壁４８は、デザイン、成形、および組み立ての便宜上、同じ厚さとしてもよい。より容易に離型するために、４つの壁は、わずかにテーパー状としてもよいが、いかなるテーパーも、通常の利用者には分からないほどわずかなものであることが好ましい。ケーシング３０、３２の底壁は、同じ厚さとしても、より厚くてもよい。磁石ホルダー２８は、ケーシング３０または３２の底部内側に安定して嵌まる寸法であるとよく、ケーシング３０、３２の上部３４に、ヘッド２６の剛毛または毛の基部３６を取り付けるための約６ｍｍ（１／４インチ）の空間を残すとよい。磁気構成部品５０、５２、５４、５６は、直径約４．１ｍｍ（０．１６インチ）、厚さ１．６ｍｍ（０．０６インチ）の円形としてもよい。突起４０は、高さ約０．３ｍｍ（０．０１インチ）としてもよく、対応する凹部４４は、深さ約０．３ｍｍとしてもよい。
【００３３】
この文書において引用または記載された各特許、特許出願、および刊行物の開示は、その内容全体を参照によって本願明細書に引用したものとする。
【００３４】
上述の明細事項は、特定の好適な実施形態に関して記載され、多くの詳細事項が、説明のために記載されたが、当業者には当然のことながら、本発明の意図および範囲から逸脱することなく、本発明は様々な変更および追加の実施形態に従うことがあり得、本願明細書に記載された詳細事項の一部は、本発明の基本原理から逸脱することなく大幅に変更されることが可能である。そのような変更および追加の実施形態も、添付の特許請求の範囲およびその等価物の範囲内に入るものとする。
【００３５】
例えば、「上」および「底」などの方向の表現は、各図面の様々な図に示されているブラシ２０およびブラシ半分２２、２４の方向を参照して用いられている。当然、ブラシは任意の方向で保持、収納、および利用され得る。
【００３６】
磁気構成部品５０、５２、５４、５６の配置のいくつかの可能な変形について上で述べた。他の変形も考えられる。例えば、図１６から、磁石５４、５６が違うように配置される余地があること、または磁石の数を変える余地があることが分かる。ブラシ２０を、本発明の譲受人に譲渡された米国特許出願第２００７−０１９９５７５号に記載のスタンドとともに用いることが望まれる場合は、磁石５４、５６は、特定のスタンド用に適切に設置されるとよい。
【００３７】
図面に示された磁石は、円形で、その各極が端面にある。磁石の極方向が、ケーシング３０、３２の近接する面に対し垂直ではなく平行に位置することが望ましい場合、別の形状が、よりよい磁束の分布を与えること、および／または磁石を正しい方向に置く助けになることもある。
【００３８】
図３〜５に示されている第２の構成は、「折り畳まれた」構成として記載されたが、２つのブラシ半分２２、２４は独立しており、第１および第２の構成間の変更を行うときに、通常は離されて、再び組み立てられる。リビングヒンジとしてもよいヒンジを設けて、２つの構成間で実際に折り畳むことができるようにすることが可能であろう。
【００３９】
図１〜１８では、突起４０および凹部４４が、狭い側面３８、４２にある。代わりに、または加えて、同様の凹部が幅広の面４６に設けられることが可能であろう。なお、第２の、すなわち折り畳まれた構成が収納のみに用いられる場合、そのような追加の突起および凹部は、通常は重要ではなく、第１の、すなわち開いた構成でのブラシ２０の握り心地を悪化させるかもしれない。
【００４０】
ブラシ２０は、「半月」ブラシとして記載され、図面では凸状のヘッド２６とともに示されたが、ヘッドの先端部の輪郭は、特定の用途に望まれる任意の形状であればよい。剛毛以外のヘッド２６を備えたブラシ以外の塗布具も可能である。
【００４１】
特定の実施形態について記載してきたが、当業者には、異なる実施形態の各特徴をどのように組み合わせることが可能かが分かる。例えば、磁石５０、５２に関する様々な選択肢が、磁石５４、５６に関する選択肢とは独立して選ばれてもよく、または単一の種類の磁石が全体で利用可能となるように調整されてもよい。２つのブラシ半分２２、２４が全く同じであることが望ましければ、適切な組み合わせの選択が行われるとよい。
【図１】
2012520748.tif 000003
【図２】
2012520748.tif 000004
【図３】
2012520748.tif 000005
【図４】
2012520748.tif 000006
【図５】
2012520748.tif 000007
【図６】
2012520748.tif 000008
【図７】
2012520748.tif 000009
【図８】
2012520748.tif 000010
【図９】
2012520748.tif 000011
【図１０】
2012520748.tif 000012
【図１１】
2012520748.tif 000013
【図１２】
2012520748.tif 000014
【図１３】
2012520748.tif 000015
【図１４】
2012520748.tif 000016
【図１５】
2012520748.tif 000017
【図１６】
2012520748.tif 000018
【図１７】
2012520748.tif 000019
【図１８】
2012520748.tif 000020
【図１９】
2012520748.tif 000021
【図２０】
2012520748.tif 000022
【国際調査報告】
2012520748.tif 000023
2012520748.tif 000024